(57)【特許請求の範囲】
【請求項１】
医療流体送達システムであって、
注入デバイスであって、
パワーヘッドと、
シリンジプランジャドライバであって、電動式駆動源を備えるシリンジプランジャドライバと、
該パワーヘッドに取り外し可能に接続され、シリンジ外筒と、該シリンジ外筒に対して移動可能に配置されるシリンジプランジャとを備えるシリンジであって、該シリンジプランジャドライバは、該シリンジプランジャと相互作用して、該シリンジプランジャを該シリンジ外筒に対して少なくとも第１の方向に移動させ、該シリンジは、シリンジデータ記憶デバイスを備える、シリンジと
を備える、注入デバイスと、
第１のデータ記憶デバイスと、
該注入デバイスの該パワーヘッドに対して、取り付けられた状態および取り外された状態のそれぞれで配置可能な通信デバイスであって、該通信デバイスは、該取り付けられた状態にある場合には、該パワーヘッドに機械的に搭載され、該通信デバイスは、該取り外された状態にある場合には、該パワーヘッドから分離され、そして該パワーヘッドに対して移動可能であり、該通信デバイスは、該取り付けられた状態および該取り外された状態のそれぞれにおいて動作可能であり、該通信デバイスは、視野を備え、該視野内のデータ記憶デバイスは、該通信デバイスが、該取り付けられた状態および該取り外された状態にあるときの両方において、該通信デバイスと通信可能であり、該シリンジデータ記憶デバイスは、該通信デバイスが該取り付けられた状態にある場合には、該通信デバイスの該視野内にあり、該通信デバイスの全体は、該通信デバイスが該取り外された状態にある場合には、該視野を配置するように、該パワーヘッドに対して移動可能であり、そして該通信デバイスが該第１のデータ記憶デバイスと通信することを可能にする、通信デバイスと
を備える、医療流体送達システム。
【請求項２】
前記通信デバイスは、電磁通信デバイスを備える、請求項１に記載の医療流体送達システム。
【請求項３】
前記通信デバイスは、ＲＦＩＤ通信デバイスを備える、請求項１〜２のうちのいずれか１項に記載の医療流体送達システム。
【請求項４】
前記通信デバイスは、読み出し機能および書き込み機能のうちの少なくとも１つを備える、請求項１〜３のうちのいずれか１項に記載の医療流体送達システム。
【請求項５】
前記第１のデータ記憶デバイスは、患者および前記医療流体送達システムの操作者のうちの少なくとも一方と関連付けられており、前記取り外された状態において、前記通信デバイスは、前記視野が患者のデータ記憶デバイスおよび前記医療流体送達システムの操作者のデータ記憶デバイスのうちの少なくとも１つの周囲に配置可能であるように移動可能である、請求項１〜４のうちのいずれか１項に記載の医療流体送達システム。
【請求項６】
前記通信デバイスは、前記シリンジデータ記憶デバイス、前記患者のデータ記憶デバイス、および前記操作者のデータ記憶デバイスのうちの少なくとも１つに、データを書き込むように動作可能である、請求項５に記載の医療流体送達システム。
【請求項７】
前記通信デバイスは、該通信デバイスが前記取り外された状態にある場合に、該通信デバイスに電力供給するように動作可能な電源を備える、請求項１〜６のうちの少なくとも１項に記載の医療流体送達システム。
【請求項８】
前記通信デバイスは、
メモリユニットであって、該通信デバイスが前記取り外された状態である場合に、該通信デバイスにより受信されたデータを記憶するように動作可能である、メモリユニットと、
通信インターフェースであって、該通信デバイスは、該通信デバイスが前記取り付けられた状態である場合に、該記憶されたデータを、該通信インターフェースを介して前記注入デバイスに送信するように動作可能である、通信インターフェースと
を備える、請求項１〜７のうちのいずれか１項に記載の医療流体送達システム。
【請求項９】
前記通信インターフェースは、少なくとも１つの電気接点を備える、請求項８に記載の医療流体送達システム。
【請求項１０】
前記通信デバイスおよび前記注入デバイスに相互接続される配線をさらに備え、該通信デバイスは、該配線を介して該注入デバイスと通信するように動作可能である、請求項１〜９のうちのいずれか１項に記載の医療流体送達システム。
【請求項１１】
前記通信デバイスは、シリンジ取付具を備える、請求項１〜１０のうちのいずれか１項に記載の医療流体送達システム。
【請求項１２】
前記注入デバイスは、シリンジ受け取り部を備え、該シリンジ受け取り部は、前記通信デバイスを備える、請求項１〜１１のうちのいずれか１項に記載の医療流体送達システム。
【請求項１３】
前記通信デバイスは、ＲＦＩＤタグを読み出すように動作可能である、請求項１〜１２のうちのいずれか１項に記載の医療流体送達システム。
【請求項１４】
医療流体送達システムであって、
視野を有し、第１のデータ記憶デバイスを読み出すように構成された通信デバイスであって、該読み出しは、該視野を配置するように、該通信デバイスの全体を該第１のデータ記憶デバイスに近接して、かつ、注入デバイスのパワーヘッドに関連して手動操作することを含み、該通信デバイスは、該第１のデータ記憶デバイスの該読み出しのために、該パワーヘッドから分離され、そして該パワーヘッドに対して移動可能であり、
該第１のデータ記憶デバイスの該読み出しの後に、該通信デバイスは、該注入デバイスの該パワーヘッドに機械的に搭載するように構成されている、通信デバイスと、
該注入デバイスの該パワーヘッドに設置されるように構成されたシリンジであって、該シリンジは、シリンジデータ記憶デバイスを備え、
該シリンジが該注入デバイスの該パワーヘッドに設置されている間に、かつ、該通信デバイスが該注入デバイスの該パワーヘッドに機械的に搭載されている間に、該通信デバイスは、該視野を用いて、該シリンジデータ記憶デバイスを読み出すように構成されている、シリンジと
を含む、システム。
【請求項１５】
前記第１のデータ記憶デバイスは、患者に取り付けられ、前記通信デバイスは、該通信デバイスを該患者に近接して移動させることによって、該第１のデータ記憶デバイスを読み出すように構成されている、請求項１４に記載のシステム。
【請求項１６】
前記通信デバイスは、前記第１のデータ記憶デバイスの前記読み出しの前に、前記注入デバイスの前記パワーヘッドから取り外されるように構成されている、請求項１４〜１５のうちのいずれか１項に記載のシステム。
【請求項１７】
前記通信デバイスは、管類にセットされたデータ記憶デバイスを読み出すように構成されている、請求項１４〜１６のうちのいずれか１項に記載のシステム。
【請求項１８】
前記管類にセットされたデータ記憶デバイスの前記読み出し中に読み出されたデータに基づいて、圧力制限を設定するための手段をさらに含む、請求項１７に記載のシステム。
【請求項１９】
前記通信デバイスは、該通信デバイスが前記注入デバイスの前記パワーヘッドに機械的に搭載される前に、前記第１のデータ記憶デバイスの前記読み出し中に取得されたデータを記憶するように構成されている、請求項１４〜１８のうちのいずれか１項に記載のシステム。
【請求項２０】
前記通信デバイスは、該通信デバイスが前記注入デバイスの前記パワーヘッドに機械的に搭載されている間に再充電されるように構成されたバッテリを含む、請求項１４〜１９のうちのいずれか１項に記載のシステム。
【請求項２１】
前記シリンジからの医療流体が患者への注入に適切であることを検証するための手段をさらに含み、該検証は、前記通信デバイスによって前記第１のデータ記憶デバイスおよび前記シリンジデータ記憶デバイスから読み出されたデータを考慮する、請求項１４〜２０のうちのいずれか１項に記載のシステム。
【請求項２２】
前記通信デバイスは、前記注入デバイスにデータを無線で転送するように構成されている、請求項１４〜２１のうちのいずれか１項に記載のシステム。
【請求項２３】
前記通信デバイスは、前記注入デバイスの前記パワーヘッドに機械的に搭載されている通信デバイスによって、少なくとも１つの導電経路を介して前記注入デバイスに電気的に相互接続されるように構成されている、請求項１４〜２１のうちのいずれか１項に記載のシステム。
【請求項２４】
前記通信デバイスは、該通信デバイスが前記注入デバイスのパワーヘッドに機械的に搭載されている間に、該注入デバイスにデータを転送するように構成されている、請求項１４〜２３のうちのいずれか１項に記載のシステム。
【請求項２５】
前記通信デバイスは、操作者データ記憶デバイスを読み出すように構成されている、請求項１４〜２４のうちのいずれか１項に記載のシステム。
【請求項２６】
前記通信デバイスは、前記操作者データ記憶デバイスから注入プロトコルをダウンロードするように構成されている、請求項２５に記載のシステム。
【請求項２７】
前記操作者データ記憶デバイスから得られたデータに少なくとも部分的に基づいて、前記注入デバイスに存在する複数の注入プロトコルから、注入プロトコルを選択するための手段をさらに含む、請求項２５に記載のシステム。
【請求項２８】
前記シリンジから医療流体を放出するように、前記注入プロトコルを実行するための手段をさらに含む、請求項２６〜２７のうちのいずれか１項に記載のシステム。
【発明の詳細な説明】
【技術分野】
【０００１】
（関連出願）
本願は、米国仮特許出願第６１／１６８，００３号（２００９年４月９日出願、名称「ＭＥＤＩＣＡＬ  ＦＬＵＩＤ  ＤＥＬＩＶＥＲＹ  ＳＹＳＴＥＭ  ＷＩＴＨ  ＦＲＩＤ−ＥＱＵＩＰＰＥＤ  ＷＡＮＤ」）に基づく優先権を主張する。
【０００２】
（技術分野）
本発明は、概して、医療流体送達システムに関し、より具体的には、識別部材を読み出すことができるデバイスを含む医療流体送達システムに関する。
【背景技術】
【０００３】
種々の医療手技は、１つ以上の医療流体が患者に注入されることを要求する。例えば、医療撮像手技は、しばしば、おそらく生理食塩水および／または他の医療流体とともに、患者への造影剤の注入を伴う。他の医療手技は、治療目的で患者に１つ以上の医療流体を注入することを伴う。自動注入器が、これらの種類の用途に使用され得る。
【０００４】
自動注入器は、概して、一般的に、パワーヘッドと呼ばれるものを含む。１つ以上のシリンジが、種々の様式で（例えば、取り外し可能に、後方装填式、前方装填式、側面装填式）パワーヘッドに搭載され得る。各シリンジは、典型的には、シリンジプランジャ、ピストン等として特徴付けられ得るものを含む。シリンジプランジャドライバの動作が、シリンジの外筒の内側で、およびそれに対して、関連シリンジプランジャを軸方向に前進させるように、それぞれのそのようなシリンジプランジャは、パワーヘッドに組み込まれる適切なシリンジドライバと界面接触する（例えば、接触および／または一時的に相互接続する）ように設計される。１つの典型的なシリンジプランジャドライバは、ネジ山付き主ネジまたは駆動ネジに搭載される、ラムの形態である。１つの回転方向への駆動ネジの回転が、１つの軸方向に関連ラムを前進させる一方で、反対の回転方向への駆動ネジの回転は、反対の軸方向に関連ラムを前進させる。
【０００５】
高周波識別（ＲＦＩＤ）タグは、様々な用途においてますます使用されてきている。ＲＦＩＤタグは、医療用途に関連して検討されており、自動注入器への関連を含む。例えば、少なくとも、ＲＦＩＤタグを自動注入器シリンジ上に配置し、少なくともある特定の情報をそのようなＲＦＩＤタグ上にエンコードすることが提案されている。
【発明の概要】
【課題を解決するための手段】
【０００６】
本発明の第１の側面は、注入デバイスと、通信デバイスとを含む、医療流体送達システムによって具現化される。注入デバイスは、シリンジプランジャドライバを含み、一方でシリンジプランジャドライバは電動駆動源を含む。注入デバイスは、シリンジ外筒と、シリンジ外筒に対して移動可能に配置されるシリンジプランジャとを有するシリンジをさらに含む。シリンジプランジャドライバは、シリンジプランジャと相互作用して、シリンジプランジャをシリンジ外筒に対して少なくとも第１の方向に移動させる。シリンジは、シリンジデータ記憶デバイスを備える。通信デバイスは、注入デバイスに対して、取り付けられた状態および取り外された状態のそれぞれで配置可能である。通信デバイスは、視野を含む。視野内のデータ記憶デバイスは、通信デバイスと通信可能である。通信デバイスが取り付けられた状態である場合に、通信デバイスは、シリンジのシリンジデータ記憶デバイスが視野内にあるように配置される。
【０００７】
いくつかの特徴の改良および追加特徴が、本発明の第１の側面に適用可能である。これらの特徴の改良および追加特徴は、個別に、または任意の組み合わせで使用され得る。そのようなものとして、論議される以下の特徴のそれぞれは、任意の他の特徴または第１の側面の特徴の組み合わせとともに使用され得るが、必須ではない。以下の論議は、本発明の第２の側面の論議の開始まで、第１の側面に適用可能である。
【０００８】
通信デバイスは、電磁通信デバイスを含み得る。通信デバイスは、ＲＦＩＤ通信デバイスを含み得る。一構成において、通信デバイスは、読み出し機能および書き込み機能のうちの少なくとも１つを提供し得る。例えば、通信デバイスは、ＲＦＩＤタグからの読み出しおよび／またはＲＦＩＤタグへの書き込みを行うように動作可能であり得る。
【０００９】
取り外された状態である場合に、通信デバイスは、視野が、患者のデータ記憶デバイスおよび／または医療流体送達システムの操作者のデータ記憶デバイスの周囲に配置可能であるように移動可能であり得る。この点において、通信デバイスは、通信デバイスが取り外された状態である間に、患者のデータ記憶デバイスおよび／または操作者のデータ記憶デバイスの読み出しおよび／またはそれらのデバイスへのデータの書き込みを行うように動作可能であり得る。一構成において、通信デバイスは、シリンジデータ記憶デバイス、患者のデータ記憶デバイス、および／または操作者のデータ記憶デバイスにデータを書き込むように動作可能であり得る。
【００１０】
通信デバイスは、通信デバイスが取り外された状態にある場合に、通信デバイスに電力供給するように動作可能である電源を含み得る。通信デバイスは、通信デバイスが取り外された状態にある場合に、通信デバイスにより受信されたデータを記憶するように動作可能であるメモリユニットを含み得る。通信デバイスは、通信インターフェースを含み得、通信デバイスは、通信デバイスが取り付けられた状態にある場合に、記憶されたデータを、通信インターフェースを介して注入デバイスに送信するように動作可能であり得る。通信インターフェースは、複数の電気接点を含み得る。
【００１１】
医療流体送達システムは、通信デバイスおよび注入デバイスに相互接続された配線をさらに含み得る。通信デバイスは、配線を介して注入デバイスと通信するように動作可能であり得る。
【００１２】
通信デバイスは、シリンジ取付具を含み得る。一実施形態において、注入デバイスは、シリンジ受け取り部を含み得、一方でシリンジ受け取り部は通信デバイスを含む。
【００１３】
本発明の第２の側面は、医療流体送達システムの操作方法によって具現化される。この方法において、第１のデータ記憶デバイスは、通信デバイスで読み出される。読み出しは、通信デバイスを第１のデータ記憶デバイスに近接して手動操作するステップを含む。第１のデータ記憶デバイスを読み出した後、通信デバイスが注入デバイスに取り付けられ、次いでシリンジが注入デバイス上に設置される。シリンジは、シリンジデータ記憶デバイスを含む。通信デバイスは、シリンジが注入デバイス上に設置されている間に、かつ通信デバイスが注入デバイスに取り付けられている間に、シリンジデータ記憶デバイスを読み出す。
【００１４】
いくつかの特徴の改良および追加特徴が、本発明の第２の側面に適用可能である。これらの特徴の改良および追加特徴は、個別に、または任意の組み合わせで使用され得る。そのようなものとして、論議される以下の特徴のそれぞれは、任意の他の特徴または第２の側面の特徴の組み合わせとともに使用され得るが、必須ではない。以下の論議は、「視野」という用語の論議の開始まで、第２の側面に適用可能である。
【００１５】
第２の側面の一実施形態において、第１のデータ記憶デバイスは、患者に取り付けられてもよく、第１のデータ記憶デバイスを読み出すステップは、通信デバイスを患者に近接して移動させるステップを含み得る。方法は、患者データ記憶デバイスを読み出すステップの前に、注入デバイスから通信デバイスを取り外すステップを含み得る。
【００１６】
方法は、通信デバイスで管類にセットされたデータ記憶デバイスを読み出すステップをさらに含み得る。管類にセットされたデータ記憶デバイスから読み出されたデータは、注入デバイスの圧力制限を設定するために使用され得る。通信デバイスは、読み出すステップ中に得られたデータを通信デバイス内に記憶し得る。そのようなデータは、患者データ記憶デバイスおよび／または管類にセットされたデータ記憶デバイスから読み出されたデータを含み得る。
【００１７】
方法は、シリンジからの医療流体が患者への注入に適切であることを検証するステップをさらに含み得る。そのような検証するステップは、患者データ記憶デバイスおよび／またはシリンジデータ記憶デバイスから読み出されたデータを考慮し得る。通信デバイスのバッテリは、通信デバイスが注入デバイスに取り付けられている間に再充電され得る。方法は、通信デバイスから注入デバイスにデータを無線で転送するステップをさらに含み得る。
【００１８】
通信デバイスの注入デバイスへの取り付けは、少なくとも１つの導電経路を介して通信デバイスを注入デバイスに相互接続するステップを含み得る。方法は、通信デバイスが注入デバイスに取り付けられている間、（例えば少なくとも１つの導電経路を介して、および／または誘導結合を介して）通信デバイスから注入デバイスにデータを転送するステップをさらに含み得る。
【００１９】
方法は、通信デバイスで操作者データ記憶デバイスを読み出すステップをさらに含み得る。そのような読み出すステップは、操作者データ記憶デバイスから通信デバイスに注入プロトコルをダウンロードするステップを含み得る。方法は、操作者データ記憶デバイスから得られたデータに少なくとも部分的に基づき、注入デバイスに存在する複数の注入プロトコルから、注入プロトコルを選択するステップをさらに含み得る。方法は、シリンジから患者に医療流体を注入するように、注入プロトコルを実行するステップをさらに含み得る。
【００２０】
本明細書で使用されるように、「視野」という用語は、通信デバイスに関連して使用される場合、通信デバイスに近接した領域を指し、その領域内のデータ記憶デバイスは、通信デバイスにより読み出し可能および／または書き込み可能となる。
【００２１】
いくつかの特徴の改良および追加特徴が、本発明の上述の第１および第２の側面のそれぞれに、別個に適用可能である。これらの特徴の改良および追加特徴は、上述の第１および第２の側面のそれぞれに関連して、個別に、または任意の組み合わせで使用され得る。「単数の」という文脈等に限定されることを目的とする、本発明の任意の他の種々の側面の任意の特徴は、「唯一の」、「単一の」、「限定される」等の用語によって、本明細書で明確に説明される。一般的に受け入れられている根拠の実践に従って特徴を導入するだけでは、対応する特徴を単数に限定されない（例えば、自動注入器が「１つのシリジンジ」を含むことを示すだけでは、自動注入器が単一のシリンジしか含まないことを意味しない）。また、「少なくとも１つの」等の語句を使用しないことも、対応する特徴を単数に限定しない（例えば、自動注入器が「１つのシリジンジ」を含むことを示すだけでは、自動注入器が単一のシリンジしか含まないことを意味しない）。最終的に、特定の特徴に関する「少なくとも概して」等といった語句の使用は、対応する特性およびそのごくわずかな変形例を包含する（例えば、シリンジ外筒が少なくとも概して円筒形であると示すことで、円筒形であるシリンジ外筒を包含する）。
【００２２】
本発明の様々な側面のいずれかにより利用され得る任意の「論理」は、限定するものではないが、任意の適切なソフトウェア、ファームウェア、もしくはハードウェア内、１つ以上のプラットフォームの使用、１つ以上のプロセッサの使用、任意の適切な種類のメモリの使用、任意の適切な種類の任意の単一のコンピュータもしくは任意の適切な種類の複数のコンピュータの使用、および任意の適切な様式での相互接続、またはこれらの任意の組合せを含む、任意の適切な様式で実装され得る。この論理は、任意の単一の場所または適切な様式で（例えば任意の種類のネットワークを介して）相互接続されている複数の場所で実装され得る。
【００２３】
流体放出を提供するために利用され得る、任意の自動注入器は、任意の適切なサイズ、形状、構成、および／または種類であり得る。任意のそのような自動注入器は、任意の適切なサイズ、形状、構成、および／または種類の１つ以上のシリンジプランジャドライバを利用し得、その場合、それぞれのそのようなシリンジプランジャドライバは、少なくとも双方向運動（例えば、流体を放出するための第１の方向の運動、流体の搭載および／または引出に適応するため、および／または後続の流体放出動作のための位置に戻るための第２の方向の運動）が可能であり、それぞれのそのようなシリンジプランジャドライバは、（例えば、流体を放出するように）少なくとも１つの方向にシリンジプランジャを前進させることができるよう、任意の適切な様式で（例えば、機械的接触によって、（機械的または別様の）適切な連結によって）、その対応するシリンジプランジャと相互作用し得る。各シリンジプランジャドライバは、任意の適切なサイズ、形状、構成、および／または種類の１つ以上の駆動源を利用し得る。複数の駆動源出力が、所与の場合に、単一のシリンジプランジャを前進させるように任意の適切な様式で組み合わせられ得る。１つ以上の駆動源が、単一のシリンジプランジャドライバ専用であり得、１つ以上の駆動源が、複数のシリンジプランジャドライバと関連し得（例えば、１つのシリンジプランジャから別のシリンジプランジャに出力を変更するように、ソートの伝送を組み込む）、またはそれらの組み合わせである。代表的な駆動源の形態は、ブラシ付きまたはブラシレス電気モータ、油圧モータ、空気モータ、圧電モータ、またはステッピングモータを含む。
【００２４】
任意のそのような自動注入器は、限定するものではないが、任意の適切な医療用途（例えば、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像）を含む、１つ以上の医療流体の送達が所望される任意の適切な用途に使用され得る。任意のそのような自動注入器は、適切な撮像システム（例えば、ＣＴスキャナ）等の、任意の構成要素または構成要素の組み合わせと併せて使用され得る。例えば、任意のそのような自動注入器と１つ以上の他の構成要素との間で、情報を伝えることができる（例えば、スキャン遅延情報、注入開始信号、注入速度）。
【００２５】
任意の適切な数のシリンジが、任意の適切な様式で（例えば、取り外し可能に、前方装填式、後方装填式、側面装填式）、任意のそのような自動注入器とともに利用され得、任意の適切な医療流体が、任意のそのような自動注入器の所与のシリンジから放出され得（例えば、造影剤、放射性医薬品、生理食塩水、およびそれらの任意の組み合わせ）、任意の適切な流体が、任意の適切な様式で（例えば、連続的に、同場合に、）多重シリンジ自動注入器構成から放出され得、またはそれらの任意の組み合わせである。一実施形態では、自動注入器の動作によってシリンジから放出される流体は、導管（例えば、医療管類セット）内へと向けられ、本導管は、任意の適切な様式で、シリンジと流体的に相互接続され、流体を所望の場所（例えば、注入のために患者に挿入されるカテーテル）へと向ける。本明細書で使用されるように、「流体的に相互接続された」という用語は、流体が構成要素または実体の間の所定の流路を流動するように動作可能である、構成要素または実体の間の関係を表す。例えば、「患者と流体的に相互接続される注入デバイス」とは、流体が、注入デバイスから任意の相互接続デバイス（例えば、管類、コネクタ）を介して患者の中へ（例えば、患者の血管系の中へ）流動することができる、構成を表す。複数のシリンジが、（例えば、単一の注入部位に提供するために）共通導管の中へ放出し得、または１つのシリンジが、（例えば、１つの注入部位に提供するために）１つの導管の中へ放出し得る一方で、別のシリンジは、（例えば、異なる注入部位に提供するために）異なる導管の中へ放出し得る。一実施形態では、各シリンジは、シリンジ外筒と、シリンジ外筒内に配置され、かつシリンジに対して移動可能であるプランジャとを含む。本プランジャは、シリンジプランジャ駆動アセンブリが、少なくとも１つの方向に、およびおそらくは２つの異なる反対方向に、プランジャを前進させることができるように、自動注入器のシリンジプランジャ駆動アセンブリと界面接触し得る。
本発明は、例えば、以下を提供する。
（項目１）
医療流体送達システムであって、
注入デバイスであって、
シリンジプランジャドライバであって、電動式駆動源を備えるシリンジプランジャドライバと、
シリンジ外筒と、該シリンジ外筒に対して移動可能に配置されるシリンジプランジャとを備えるシリンジであって、該シリンジプランジャドライバは、該シリンジプランジャと相互作用して、該シリンジプランジャを該シリンジ外筒に対して少なくとも第１の方向に移動させ、該シリンジは、データ記憶デバイスを備える、シリンジと
を備える注入デバイスと、
該注入デバイスに対して、取り付けられた状態および取り外された状態のそれぞれで配置可能な通信デバイスであって、該通信デバイスは、視野を備え、該視野内のデータ記憶デバイスは、該通信デバイスと通信可能であり、該取り付けられた状態の該通信デバイスは、該シリンジデータ記憶デバイスが該視野内にあるように配置される、通信デバイスと
を備える、医療流体送達システム。
（項目２）
上記通信デバイスは、電磁通信デバイスを備える、項目１に記載の医療流体送達システム。
（項目３）
上記通信デバイスは、ＲＦＩＤ通信デバイスを備える、項目１〜２のうちのいずれか１項に記載の医療流体送達システム。
（項目４）
上記通信デバイスは、読み出し機能および書き込み機能のうちの少なくとも１つを備える、項目１〜３のうちのいずれか１項に記載の医療流体送達システム。
（項目５）
上記取り外された状態において、上記通信デバイスは、上記視野が患者のデータ記憶デバイスおよび上記医療流体送達システムの操作者のデータ記憶デバイスのうちの少なくとも１つの周囲に配置可能であるように移動可能である、項目１〜４のうちの少なくとも１項に記載の医療流体送達システム。
（項目６）
上記通信デバイスは、上記シリンジデータ記憶デバイス、上記患者のデータ記憶デバイス、および上記操作者のデータ記憶デバイスのうちの少なくとも１つに、データを書き込むように動作可能である、項目５に記載の医療流体送達システム。
（項目７）
上記通信デバイスは、該通信デバイスが上記取り外された状態にある場合に、該通信デバイスに電力供給するように動作可能な電源を備える、項目１〜６のうちの少なくとも１項に記載の医療流体送達システム。
（項目８）
上記通信デバイスは、
メモリユニットであって、該通信デバイスが上記取り外された状態である場合に、該通信デバイスにより受信されたデータを記憶するように動作可能である、メモリユニットと、
通信インターフェースであって、該通信デバイスは、該通信デバイスが上記取り付けられた状態である場合に、該記憶されたデータを、該通信インターフェースを介して上記注入デバイスに送信する、通信インターフェースと
を備える、項目１〜７のうちのいずれか１項に記載の医療流体送達システム。
（項目９）
上記通信インターフェースは、少なくとも１つの電気接点を備える、項目８に記載の医療流体送達システム。
（項目１０）
上記通信デバイスおよび上記注入デバイスに相互接続される配線をさらに備え、該通信デバイスは、該配線を介して該注入デバイスと通信するように動作可能である、項目１〜９のうちのいずれか１項に記載の医療流体送達システム。
（項目１１）
上記通信デバイスは、シリンジ取付具を備える、項目１〜１０のうちのいずれか１項に記載の医療流体送達システム。
（項目１２）
上記注入デバイスは、シリンジ受け取り部を備え、該シリンジ受け取り部は、上記通信デバイスを備える、項目１〜１１のうちのいずれか１項に記載の医療流体送達システム。
（項目１３）
上記通信デバイスは、ＲＦＩＤタグを読み出すように動作可能である、項目１〜１２のうちのいずれか１項に記載の医療流体送達システム。
（項目１４）
医療流体送達システムの操作方法であって、
通信デバイスで第１のデータ記憶デバイスを読み出すステップであって、該通信デバイスを該第１のデータ記憶デバイスに近接して手動操作するステップを含む、読み出すステップと、
該第１のデータ記憶デバイスを読み出すステップの後に、該通信デバイスを注入デバイスに取り付けるステップと、
該取り付けるステップの後に、該注入デバイスにシリンジを設置するステップであって、該シリンジは、シリンジデータ記憶デバイスを備える、ステップと、
該シリンジが該注入デバイス上に設置されている間に、かつ、該通信デバイスが該注入デバイスに取り付けられている間に、該通信デバイスで該シリンジデータ記憶デバイスを読み出すステップと
を含む方法。
（項目１５）
上記第１のデータ記憶デバイスは、患者に取り付けられ、上記第１のデータ記憶デバイスを読み出すステップは、上記通信デバイスを該患者に近接して移動させるステップを含む、項目１４に記載の方法。
（項目１６）
上記患者データ記憶デバイスを読み出すステップの前に、上記注入デバイスから上記通信デバイスを取り外すステップをさらに備える、項目１４〜１５のうちのいずれか１項に記載の方法。
（項目１７）
上記通信デバイスで管類にセットされたデータ記憶デバイスを読み出すステップをさらに含む、項目１４〜１６のうちのいずれか１項に記載の方法。
（項目１８）
上記管類にセットされたデータ記憶デバイスを読み出すステップ中に読み出されたデータに基づき、圧力制限を設定するステップをさらに含む、項目１７に記載の方法。
（項目１９）
上記取り付けるステップの前に、上記患者データ記憶デバイスを読み込むステップ中に取得されたデータを、上記通信デバイスに記憶するステップをさらに含む、項目１４〜１８のうちのいずれか１項に記載の方法。
（項目２０）
上記通信デバイスが上記注入デバイスに取り付けられている間に、該通信デバイスのバッテリを再充電するステップをさらに含む、項目１４〜１９のうちのいずれか１項に記載の方法。
（項目２１）
上記シリンジからの医療流体が患者への注入に適切であることを検証するステップをさらに含み、該検証するステップは、上記患者データ記憶デバイスおよび上記シリンジデータ記憶デバイスから読み出されたデータを考慮する、項目１４〜２０のうちのいずれか１項に記載の方法。
（項目２２）
上記通信デバイスから上記注入デバイスにデータを無線で転送するステップをさらに含む、項目１４〜２１のうちのいずれか１項に記載の方法。
（項目２３）
上記取り付けるステップは、少なくとも１つの導電経路を介して上記通信デバイスを上記注入デバイスに相互接続するステップを含む、項目１４〜２１のうちのいずれか１項に記載の方法。
（項目２４）
上記通信デバイスが上記注入デバイスに取り付けられている間に、該通信デバイスから該注入デバイスにデータを転送するステップをさらに含む、項目１４〜２３のうちのいずれか１項に記載の方法。
（項目２５）
上記通信デバイスで操作者データ記憶デバイスを読み出すステップをさらに含む、項目１４〜２４のうちのいずれか１項に記載の方法。
（項目２６）
上記操作者データ記憶デバイスを読み出すステップは、該操作者データ記憶デバイスから上記通信デバイスに注入プロトコルをダウンロードするステップを含む、項目２５に記載の方法。
（項目２７）
上記操作者データ記憶デバイスから得られたデータに少なくとも部分的に基づき、上記注入デバイスに存在する複数の注入プロトコルから、注入プロトコルを選択するステップをさらに含む、項目２５に記載の方法。
（項目２８）
上記シリンジから医療流体を放出するように、上記注入プロトコルを実行するステップをさらに含む、項目２６〜２７のうちのいずれか１項に記載の方法。
【図面の簡単な説明】
【００２６】
【図１】図１は、自動注入器の一実施形態の概略図である。
【図２Ａ】図２Ａは、携帯型スタンド搭載式の二重ヘッド自動注入器の一実施形態の斜視図である。
【図２Ｂ】図２Ｂは、図２Ａの自動注入器によって使用される、パワーヘッドの拡大部分分解斜視図である。
【図２Ｃ】図２Ｃは、図２Ａの自動注入器によって使用される、シリンジプランジャ駆動アセンブリの一実施形態の概略図である。
【図３】図３は、ワンド部分を有するシリンジ取付具を含む注入デバイスの斜視図である。
【図４】図４は、図３の注入デバイスを使用して患者に医療流体を注入する方法のフローチャートである。
【発明を実施するための形態】
【００２７】
図１は、パワーヘッド１２を有する自動注入器１０の一実施形態の概略図を提示する。１つ以上のグラフィカルユーザインターフェースまたはＧＵＩ１１が、パワーヘッド１２と関連付けられ得る。各ＧＵＩ１１は、（１）任意の適切なサイズ、形状、構成、および／または種類であり得、（２）任意の適切な様式でパワーヘッド１２と動作可能に相互接続され得、（３）任意の適切な場所に配置され得、（４）自動注入器１０の動作の１つ以上の側面を制御する、自動注入器１０の動作と関連する１つ以上のパラメータを入力／編集する、（例えば、自動注入器１０の動作と関連する）適切な情報を表示するといった、機能のうちのいずれかを提供するように構成され得、または、（５）先述の内容の任意の組み合わせのものである。任意の適切な数のＧＵＩ１１が利用され得る。一実施形態では、自動注入器１０は、パワーヘッド１２とは別であるが、パワーヘッド１２と通信するコンソールによって組み込まれるＧＵＩ１１を含む。別の実施形態では、自動注入器１０は、パワーヘッド１２の一部であるＧＵＩ１１を含む。さらに別の実施形態では、自動注入器１０は、パワーヘッド１２と通信する別個のコンソール上で１つのＧＵＩ１１を利用し、また、パワーヘッド１２上にある別のＧＵＩ１１も利用する。各ＧＵＩ１１は、同じ機能性または一式の機能性を提供することができ、または、ＧＵＩ１１は、それぞれの機能性に関して、少なくともある点で異なり得る。
【００２８】
シリンジ２８は、本パワーヘッド１２上に設置され得、設置されると、自動注入器１０の一部と見なされ得る。いくつかの注入手技は、シリンジ２８内で生成される比較的高い圧力をもたらし得る。この点において、圧力ジャケット２６内にシリンジ２８を配置することが望ましいことがある。圧力ジャケット２６は、典型的には、パワーヘッド１２上にシリンジ２８を設置するステップの一部として、またはそのステップの後に、シリンジ２８がその中に配置されることを可能にする様式で、パワーヘッド１２と関連付けられる。同圧力ジャケット２６は、典型的には、種々のシリンジ２８が、複数の注入手技のために、圧力ジャケット２６内に位置付けられ、そこから除去される際に、パワーヘッド１２と関連付けられたままとなる。自動注入器１０が低圧注入のために構成／利用される場合、および／または自動注入器１０とともに利用されるシリンジ２８が、圧力ジャケット２６によって提供される追加支持なしで、高圧注入に耐えるのに十分な耐久性である場合、自動注入器１０は、圧力ジャケット２６を排除し得る。いずれの場合でも、シリンジ２８から放出される流体は、任意の適切な様式で、シリンジ２８と流体的に相互接続され得、流体を任意の適切な場所に（例えば、患者に）向け得る、任意の適切なサイズ、形状、構成、および／または種類の導管３８の中へ向けられ得る。
【００２９】
パワーヘッド１２は、シリンジ２８から流体を放出するようにシリンジ２８（例えば、そのプランジャ３２）と相互作用する（例えば、インターフェースをとる）、シリンジプランジャ駆動アセンブリまたはシリンジプランジャドライバ１４を含む。本シリンジプランジャ駆動アセンブリ１４は、駆動出力１８（例えば、回転可能な駆動ネジ）にパワー供給する、駆動源１６（例えば、任意の適切なサイズ、形状、構成、および／または種類のモータ、オプションの歯車装置等）を含む。ラム２０は、駆動出力１８によって、適切な経路（例えば、軸方向）に沿って前進させられ得る。ラム２０は、以下で論議される様式で、シリンジ２８の対応する部分と相互作用またはインターフェースをとるための連結器２２を含み得る。
【００３０】
シリンジ２８は、（例えば、双頭矢印Ｂと一致する軸に沿った軸方向の往復運動のために）シリンジ外筒３０内で移動可能に配置される、プランジャまたはピストン３２を含む。プランジャ３２は、連結器３４を含み得る。本シリンジプランジャ連結器３４は、シリンジプランジャ駆動アセンブリ１４がシリンジ外筒３０内でシリンジプランジャ３２を後退させることを可能にするように、ラム連結器２２と相互作用またはインターフェースをとり得る。シリンジプランジャ連結器３４は、ヘッドまたはボタン３６ｂとともにシリンジプランジャ３２の本体から延在する、シャフト３６ａの形態であり得る。しかしながら、シリンジプランジャ連結器３４は、任意の適切なサイズ、形状、構成、および／または種類であり得る。
【００３１】
概して、自動注入器１０のシリンジプランジャ駆動アセンブリ１４は、（例えば、対応するシリンジ２８から流体を放出するように）少なくとも１つの方向に（シリンジ外筒３０に対して）シリンジプランジャ３２を移動または前進させることできるよう、任意の適切な様式で（例えば、機械的接触によって、（機械的または別様の）適切な連結によって）シリンジ２８のシリンジプランジャ３２と相互作用し得る。すなわち、シリンジプランジャ駆動アセンブリ１４は、（例えば、同駆動源１６の動作を介して）双方向運動が可能であり得るが、自動注入器１０は、シリンジプランジャ駆動アセンブリ１４の動作が、実際には、自動注入器１０によって使用されている各シリンジプランジャ３２を１つの方向にしか移動させないように、構成され得る。しかしながら、シリンジプランジャ駆動アセンブリ１４は、２つの異なる方向のそれぞれに（例えば、共通軸方向経路に沿った異なる方向に）、それぞれのそのようなシリンジプランジャ３２を移動させることができるよう、自動注入器１０によって使用されている各シリンジプランジャ３２と相互作用するように構成され得る。
【００３２】
シリンジプランジャ３２の後退は、後続の注入または放出のために、シリンジ外筒３０の中への流体の装填に適応するために利用され得、後続の注入または放出のために、または任意の他の適切な目的で、シリンジ外筒３０の中へ流体を実際に引き込むために利用され得る。ある構成は、シリンジプランジャ駆動アセンブリ１４がシリンジプランジャ３２を後退させることができることを要求しなくてもよく、ラム連結器２２およびシリンジプランジャ連結器３４が所望されなくてもよい。この場合、シリンジプランジャ駆動アセンブリ１４は、（例えば、別の予充填されたシリンジ２８が設置された後に）別の流体送達動作を実行する目的で後退させられ得る。ラム連結器２２およびシリンジプランジャ連結器３４が利用される時でさえも、ラム２０がシリンジプランジャ３２を前進させて、シリンジ２８から流体を放出する場合に、これらの構成要素は連結されてもされなくてもよい（例えば、ラム２０が、単純にシリンジプランジャ連結器３４、またはシリンジプランジャ３２の近位端を直接「押し進め」てもよい）。ラム連結器２２およびシリンジプランジャ連結器３４を連結状態または条件で配置するため、ラム連結器２２およびシリンジプランジャ連結器３４を非連結状態または条件で配置するため、または両方のために、任意の適切な寸法または寸法の組み合わせで、任意の単一の運動または運動の組み合わせが利用され得る。
【００３３】
シリンジ２８は、任意の適切な様式で、パワーヘッド１２上に設置され得る。例えば、シリンジ２８は、パワーヘッド１２上に直接設置されるように構成することができる。図示された実施形態では、シリンジ２８とパワーヘッド１２との間にインターフェースを提供するように、筐体２４がパワーヘッド１２上に適切に搭載される。本筐体２４は、シリンジ２８の１つ以上の構成が設置され得る、アダプタの形態であり得、シリンジ２８の少なくとも１つの構成は、任意のそのようなアダプタを使用することなく、パワーヘッド１２上に直接設置することができる。また、筐体２４は、シリンジ２８の１つ以上の構成が設置され得る、面板の形態であり得る。この場合、面板は、パワーヘッド１２上にシリンジ２８を設置するために要求されるようなものであり得、面板なしでシリンジ２８をパワーヘッド１２上に設置することはできない。圧力ジャケット２６が使用される場合、シリンジ２８に関して本明細書で論議される種々の様式で、それがパワーヘッド１２上に設置され得、次いで、シリンジ２８は、その後、圧力ジャケット２６の中に設置される。
【００３４】
筐体２４は、シリンジ２８を設置する場合に、パワーヘッド１２上に搭載され、パワーヘッド１２に対して固定位置に留まり得る。別の選択肢は、シリンジ２８の設置に適応するように、筐体２４およびパワーヘッド１２を移動可能に相互接続することである。例えば、筐体２４は、双頭矢印Ａを含む平面内で移動して、ラム連結器２２とシリンジプランジャ連結器３４との間で、連結状態または条件、および、非連結状態または条件のうちの１つ以上を提供し得る。
【００３５】
１つの特定の自動注入器構成が、図２Ａに図示され、参照数字４０によって識別され、少なくとも概して、図１の自動注入器１０に従う。自動注入器４０は、携帯型スタンド４８上に搭載されるパワーヘッド５０を含む。自動注入器４０用の一対のシリンジ８６ａ、８６ｂが、パワーヘッド５０上に搭載される。流体が、自動注入器４０の動作中にシリンジ８６ａ、８６ｂから放出され得る。
【００３６】
携帯型スタンド４８は、任意の適切なサイズ、形状、構成、および／または種類であり得る。スタンド４８を携帯型にするために、車輪、ローラ、キャスタ等が利用され得る。パワーヘッド５０は、携帯型スタンド４８に対して固定位置で維持することができる。しかしながら、少なくとも何らかの様式で、パワーヘッド５０の位置が携帯型スタンド４８に対して調整可能となることを可能にすることが望ましいことがある。例えば、シリンジ８６ａ、８６ｂのうちの１つ以上の中へ流体を装填する場合に、携帯型スタンド４８に対して１つの位置でパワーヘッド５０を有すること、および注入手技の実施のために携帯型スタンド４８に対して異なる位置でパワーヘッド５０を有することが望ましいことがある。この点において、パワーヘッド５０は、任意の適切な様式で（例えば、パワーヘッド５０が少なくともある可動域を通して枢動させられ、その後、所望の位置で維持され得るように）携帯型スタンド４８と移動可能に相互接続され得る。
【００３７】
パワーヘッド５０は、流体を提供するために任意の適切な様式で支持することができると理解されたい。例えば、携帯型構造上に搭載される代わりに、パワーヘッド５０は、支持アセンブリと相互接続することができ、支持アセンブリは、順に、適切な構造（例えば、天井、壁、床）に搭載される。パワーヘッド５０用の任意の支持アセンブリが、（例えば、１つ以上の他の支持セクションに対して位置付け直され得る、１つ以上の支持セクションを有することによって）少なくとも何らかの点で位置調整可能であり得、または固定位置で維持され得る。また、パワーヘッド５０は、固定位置で維持されるよう、または支持アセンブリに対して調整可能となるよう、任意のそのような支持アセンブリと統合され得る。
【００３８】
パワーヘッド５０は、グラフィカルユーザインターフェースまたはＧＵＩ５２を含む。本ＧＵＩ５２は、自動注入器４０の動作の１つ以上の側面を制御する機能、自動注入器４０の動作と関連する１つ以上のパラメータを入力／編集する機能、および（例えば、自動注入器４０の動作と関連する）適切な情報を表示する機能のうちの１つ、または任意の組み合わせを提供するように構成され得る。また、自動注入器４０は、それぞれ任意の適切な様式で（例えば、１つ以上のケーブルを介して）、パワーヘッド５０と通信し得る、検査室の中または任意の他の適切な場所でテーブル上に配置されるか、または電子機器ラック上に搭載される、または両方であり得る、コンソール４２および電力パック４６を含み得る。電力パック４６は、注入器４０用の電力供給部、コンソール４２とパワーヘッド５０との間の通信を提供するためのインターフェース回路、遠隔コンソール、遠隔手動または足踏み制御スイッチ、または他の相手先ブランド製造業者（ＯＥＭ）の遠隔制御接続（例えば、自動注入器４０の動作が撮像システムのＸ線照射と同期化されることを可能にする）等の遠隔ユニットへの自動注入器４０の接続を可能にするための回路、および任意の他の適切な構成要素のうちの１つ以上を、任意の適切な組み合わせで含み得る。コンソール４２は、タッチスクリーンディスプレイ４４を含み得、それは順に、操作者が自動注入器４０の動作の１つ以上の側面を遠隔制御することを可能にする機能、操作者が自動注入器４０の動作と関連する１つ以上のパラメータを入力／編集することを可能にする機能、操作者が自動注入器４０の自動化動作のためのプログラムを特定し、記憶することを可能にする機能（後に、操作者による開始場合に、自動注入器４０によって自動的に実行することができる）、および自動注入器４０の動作と関連し、その動作の任意の側面を含む任意の適切な情報を表示する機能のうちの１つ以上を、任意の適切な組み合わせで提供し得る。
【００３９】
パワーヘッド５０とのシリンジ８６ａ、８６ｂの統合に関する種々の詳細を図２Ｂに提示する。シリンジ８６ａ、８６ｂのそれぞれは、同じ一般的構成要素を含む。シリンジ８６ａは、シリンジ外筒８８ａ内で可動性に配置される、プランジャまたはピストン９０ａを含む。パワーヘッド５０の動作を介した、軸１００ａ（図２Ａ）に沿ったプランジャ９０ａの運動は、シリンジ８６ａのノズル８９ａを通して、シリンジ外筒８８ａ内から流体を放出する。適切な導管（図示せず）が、典型的には、流体を所望の場所（例えば、患者）に向けるように、任意の適切な様式で、ノズル８９ａと流体的に相互接続される。同様に、シリンジ８６ｂは、シリンジ外筒８８ｂ内で移動可能に配置される、プランジャまたはピストン９０ｂを含む。パワーヘッド５０の動作を介した、軸１００ｂ（図２Ａ）に沿ったプランジャ９０ｂの運動は、シリンジ８６ｂのノズル８９ｂを通してシリンジ外筒８８ｂ内から流体を放出する。適切な導管（図示せず）が、典型的には、流体を所望の場所（例えば、患者）に向けるために、任意の適切な様式でノズル８９ｂと流体的に相互接続される。
【００４０】
シリンジ８６ａは、中間面板１０２ａを介して、パワーヘッド５０と相互接続される。本面板１０２ａは、シリンジ外筒８８ａの少なくとも一部を支持し、任意の追加機能性または機能性の組み合わせを提供／適応し得る、架台１０４を含む。台８２ａが、面板１０２ａと界面接触するために、パワーヘッド５０上に配置され、パワーヘッド５０に対して固定される。シリンジ８６ａに対するシリンジプランジャ駆動アセンブリまたはシリンジプランジャドライバ５６（図２Ｃ）の各部分である、ラム７４（図２Ｃ）のラム連結器７６は、パワーヘッド５０上に搭載される場合、面板１０２ａに近接して位置付けられる。シリンジプランジャ駆動アセンブリ５６に関する詳細を、図２Ｃに関して以下でより詳細に論議する。概して、ラム連結器７６は、シリンジ８６ａのシリンジプランジャ９０ａと連結され得、次いで、ラム連結器７６およびラム７４（図２Ｃ）は、軸１００ａ（図２Ａ）に沿ってシリンジプランジャ９０ａを移動させるように、パワーヘッド５０に対して移動させられ得る。それは、シリンジプランジャ９０ａを移動させ、シリンジ８６ａのノズル８９ａを通して流体を放出する場合に、ラム連結器７６がシリンジプランジャ９０ａと係合されるが、実際には連結されないようなものであり得る。
【００４１】
面板１０２ａは、パワーヘッド５０上に面板１０２ａを搭載するとともに、パワーヘッド５０上の台８２ａから面板１０２ａを除去するように、（それぞれ、シリンジプランジャ９０ａ、９０ｂの運動と関連し、図２Ａに図示される）軸１００ａ、１００ｂに対して直角である平面の少なくとも概して平面内で移動させられ得る。面板１０２ａは、シリンジプランジャ９０ａを、パワーヘッド５０上の対応するラム連結器７６と連結するために使用され得る。この点において、面板１０２ａは、一対のハンドル１０６ａを含む。概して、シリンジ８６ａが最初に面板１０２ａ内に位置付けられると、ハンドル１０６ａは、順に、（それぞれ、シリンジプランジャ９０ａ、９０ｂの運動と関連し、図２Ａに図示される）軸１００ａ、１００ｂに対して直角である平面の少なくとも概して平面内でシリンジ８６ａを移動／平行移動させるように、移動させられ得る。ハンドル１０６ａを１つの位置に移動させることにより、少なくとも概して下向きの方向に（面板１０２ａに対して）シリンジ８６ａを移動／平行移動させて、シリンジプランジャ９０ａを、その対応するラム連結器７６と連結する。ハンドル１０６ａを別の位置に移動させることにより、少なくとも概して上向きの方向に（面板１０２ａに対して）シリンジ８６ａを移動／平行移動させて、シリンジプランジャ９０ａを、その対応するラム連結器７６から分断する。
【００４２】
シリンジ８６ｂは、中間面板１０２ｂを介して、パワーヘッド５０と相互接続される。台８２ｂが、面板１０２ｂと界面接触するために、パワーヘッド５０上に配置され、パワーヘッド５０に対して固定される。シリンジ８６ｂに対するシリンジプランジャ駆動アセンブリ５６の各部分である、ラム７４（図２Ｃ）のラム連結器７６は、パワーヘッド５０に搭載される場合、面板１０２ｂに近接して位置付けられる。シリンジプランジャ駆動アセンブリ５６に関する詳細を、再度、図２Ｃに関して以下でより詳細に論議する。概して、ラム連結器７６は、シリンジ８６ｂのシリンジプランジャ９０ｂと連結され得、ラム連結器７６およびラム７４（図２Ｃ）は、軸１００ｂ（図２Ａ）に沿ってシリンジプランジャ９０ｂを移動させるように、パワーヘッド５０に対して移動させられ得る。それは、シリンジプランジャ９０ｂを移動させ、シリンジ８６ｂのノズル８９ｂを通して流体を放出する場合に、ラム連結器７６がシリンジプランジャ９０ｂと係合されるが、実際には連結されないようなものであり得る。
【００４３】
面板１０２ｂは、パワーヘッド５０上に面板１０２ｂを搭載するとともに、パワーヘッド５０上の台８２ｂから面板１０２ｂを除去するように、（それぞれ、シリンジプランジャ９０ａ、９０ｂの運動と関連し、図２Ａに図示される）軸１００ａ、１００ｂに対して直角である平面の少なくとも概して平面内で動かされ得る。面板１０２ｂはまた、シリンジプランジャ９０ｂを、パワーヘッド５０上の対応するラム連結器７６と連結するために使用され得る。この点において、面板１０２ｂは、ハンドル１０６ｂを含み得る。概して、シリンジ８６ｂが最初に面板１０２ｂ内に位置付けられると、シリンジ８６ｂは、その長軸１００ｂ（図２Ａ）に沿って、面板１０２ｂに対して回転させられ得る。本回転は、ハンドル１０６ｂを動かすことによって、シリンジ８６ｂを把持して旋回させることによって、または両方によって実現され得る。いずれの場合でも、本回転は、（それぞれ、シリンジプランジャ９０ａ、９０ｂの運動と関連し、図２Ａに図示される）軸１００ａ、１００ｂに対して直角である平面の少なくとも概して平面内で、シリンジ８６ｂおよび面板１０２ｂの両方を移動／平行移動させる。シリンジ８６ｂを１つの方向に回転させることにより、少なくとも概して下向きの方向にシリンジ８６ｂおよび面板１０２ｂを移動／平行移動させて、シリンジプランジャ９０ｂを、その対応するラム連結器７６と連結する。シリンジ８６ｂを反対方向に回転させることにより、少なくとも概して上向きの方向にシリンジ８６ｂおよび面板１０２ｂを移動／平行移動させて、シリンジプランジャ９０ｂを、その対応するラム連結器７６から分断する。
【００４４】
図２Ｂに図示されるように、シリンジプランジャ９０ｂは、プランジャ本体９２と、シリンジプランジャ連結器９４とを含む。本シリンジプランジャ連結器９４は、プランジャ本体９２から離間したヘッド９６とともに、プランジャ本体９２から延在するシャフト９８を含む。ラム連結器７６のそれぞれは、ラム連結器７６の面上のより小型のスロットの後に位置付けられる、より大型のスロットを含む。シリンジプランジャ連結器９４のヘッド９６は、ラム連結器７６のより大型のスロット内に位置付けられ、シリンジプランジャ連結器９４のシャフト９８は、シリンジプランジャ９０ｂおよびその対応するラム連結器７６が連結状態または条件である場合に、ラム連結器７６の面上のより小型のスロットを通って延在し得る。シリンジプランジャ９０ａは、その対応するラム連結器７６と界面接触するために、同様のシリンジプランジャ連結器９４を含み得る。
【００４５】
パワーヘッド５０は、自動注入器４０の場合では、シリンジ８６ａ、８６ｂから流体を放出するために利用される。すなわち、パワーヘッド５０は、シリンジ８６ａ、８６ｂのそれぞれから流体を放出する原動力を提供する。シリンジプランジャ駆動アセンブリまたはシリンジプランジャドライバとして特徴付けられ得るものの一実施形態が、図２Ｃに図示され、参照数字５６によって識別され、シリンジ８６ａ、８６ｂのそれぞれから流体を放出するために、パワーヘッド５０によって利用され得る。別個のシリンジプランジャ駆動アセンブリ５６が、シリンジ８６ａ、８６ｂのそれぞれに対するパワーヘッド５０に組み込まれ得る。この点において、図２Ａ−Ｂを再度参照すると、パワーヘッド５０は、シリンジプランジャ駆動アセンブリ５６のそれぞれを別個に制御する際に使用するための手動ノブ８０ａおよび８０ｂを含み得る。
【００４６】
最初に、図２Ｃのシリンジプランジャ駆動アセンブリ５６に関して、その個々の構成要素のそれぞれは、任意の適切なサイズ、形状、構成、および／または種類であり得る。シリンジプランジャ駆動アセンブリ５６は、出力シャフト６０を有するモータ５８を含む。駆動歯車６２が、モータ５８の出力シャフト６０上に搭載され、それとともに回転する。駆動歯車６２は、被駆動歯車６４と係合されるか、または少なくとも係合可能である。本被駆動歯車６４は、駆動ネジまたはシャフト６６上に搭載され、それとともに回転する。それを中心として駆動ネジ６６が回転する軸は、参照数字６８によって識別される。１つ以上の軸受７２が、駆動ネジ６６を適切に支持する。
【００４７】
台車またはラム７４が、駆動ネジ６６上に移動可能に搭載される。概して、１つの方向への駆動ネジ６６の回転が、対応するシリンジ８６ａ／ｂの方向へ駆動ネジ６６に沿って（それにより、軸６８に沿って）ラム７４を軸方向に前進させる一方で、反対方向への駆動ネジ６６の回転は、対応するシリンジ８６ａ／ｂから離れて駆動ネジ６６に沿って（それにより、軸６８に沿って）ラム７４を軸方向に前進させる。この点において、駆動ネジ６６の少なくとも一部の周囲は、ラム７４の少なくとも一部とインターフェースをとる螺旋ネジ山７０を含む。また、ラム７４は、駆動ネジ６６の回転中にラム７４が回転することを可能にしない、適切なブッシング７８内で移動可能に搭載される。したがって、駆動ネジ６６の回転は、駆動ネジ６６の回転方向によって決定される方向で、ラム７４の軸方向移動を提供する。
【００４８】
ラム７４は、対応するシリンジ８６ａ／ｂのシリンジプランジャ９０ａ／ｂのシリンジプランジャ連結器９４と取り外し可能に連結され得る、連結器７６を含む。ラム連結器７６およびシリンジプランジャ連結器９４が適切に連結されると、シリンジプランジャ９０ａ／ｂは、ラム７４とともに移動する。図２Ｃは、シリンジ８６ａ／ｂが、ラム７４に連結されることなく、その対応する軸１００ａ／ｂに沿って移動させられ得る構成を図示する。そのシリンジプランジャ９０ａ／ｂのヘッド９６がラム連結器７６と整列されているが、軸６８が依然として図２のオフセット構成にある状態で、シリンジ８６ａ／ｂがその対応する軸１００ａ／ｂにそって移動させられる場合、シリンジ８６ａ／ｂは、それに沿ってラム７４が移動する軸６８に対して直角である平面内で平行移動させられ得る。このことは、上述の様式でラム連結器７６とシリンジプランジャ連結器９６との間で連結係合を確立する。
【００４９】
図１および２Ａ−Ｃの自動注入器１０、４０はそれぞれ、限定するものではないが、流体が対象（例えば、患者）に注入される医療撮像用途を含む、任意の適切な用途に使用され得る。自動注入器１０、４０の代表的な医療撮像用途は、限定するものではないが、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像を含む。自動注入器１０、４０はそれぞれ、単独で、または１つ以上の他の構成要素と組み合わせて使用することができる。自動注入器１０、４０はそれぞれ、例えば、情報が自動注入器１０、４０と１つ以上の他の構成要素との間で伝えられ得るように（例えば、スキャン遅延情報、注入開始信号、注入速度）、１つ以上の構成要素と動作可能に相互接続され得る。
【００５０】
限定するものではないが、単一ヘッド構成（単一のシリンジ用）および二重ヘッド構成（２つのシリンジ用）を含む、任意の数のシリンジが、自動注入器１０、４０のそれぞれによって利用され得る。多重シリンジ構成の場合は、各自動注入器１０、４０は、任意の好適な様式で、任意のタイミングシーケンスに従って、種々のシリンジから流体を放出し得る（例えば、２つ以上のシリンジからの連続放出、２つ以上のシリンジからの同時放出、またはそれらの任意の組み合わせ）。複数のシリンジが、（例えば、単一の注入部位に提供するために）共通導管の中へ放出し得、または１つのシリンジが、（例えば、１つの注入部位に提供するために）１つの導管の中へ放出し得る一方で、別のシリンジは、（例えば、異なる注入部位に提供するために）異なる導管の中へ放出し得る。自動注入器１０、４０のそれぞれによって利用される、それぞれのそのようなシリンジは、任意の適切な流体（例えば、医療流体）、例えば、造影剤、放射性医薬品、生理食塩水、およびそれらの任意の組み合わせを含み得る。自動注入器１０、４０のそれぞれによって利用される、それぞれのそのようなシリンジは、任意の適切な様式で設置され得る（例えば、後方装填構成が利用され得る、前方装填構成が利用され得る、側面装填構成が利用され得る）。
【００５１】
図２Ａおよび２Ｂに戻ると、ワンド１１０の形態の通信デバイスは、自動注入器４０に相互接続され得る。ワンド１１０は、関連付けられた制御電子機器とともに、自動注入器４０を使用した患者への医療流体の注入と関連付けられ得る、様々なデータ記憶デバイスと通信するように動作可能であり得る。ワンド１１０は、様々なデータ記憶デバイスと通信するための任意の適切な技術を使用することができる。関連付けられた制御電子機器は、任意の適切な場所（例えば、ワンド１１０内および／またはパワーヘッド５０内）に配置され得る。データ記憶デバイスは、ＲＦＩＤタグ、バーコード、および／または他の種類の識別特徴を含む任意の適切な構造であり得る。そのようなデータ記憶デバイスは、注入プロセス中に使用される様々な構成要素上に配置され、および／またはそれに関連付けられ得る。したがって、ワンド１１０は、電磁的に適切なデータ記憶デバイスからデータを読み出すこと、および／または適切なデータ記憶デバイスにデータを書き込むことができる、電磁通信デバイスであり得る。例えば、ワンド１１０は、ＲＦＩＤタグ通信デバイスであり得る。
【００５２】
ワンド１１０は、手で保持され、ワンド１１０を様々なデータ記憶デバイスに近接して位置付けるように手動操作されるように動作可能であり得る。例えば、ワンド１１０のユーザは、ワンド１１０を、自動注入器４０を使用して医療流体の注入を受ける患者と関連付けられた識別データ記憶デバイス（例えば、ＲＦＩＤ識別ブレスレット）に近接するように移動させ得る。「ユーザ」は、患者に医療流体を注入するプロセスに関与し得る任意の適切な人物であり得る。したがって、ユーザは、画像化技術者、看護士、医者、および／または任意の他の適切な医療従事者を含み得る。手持ち方式で使用されていない時は、ワンド１１０は、図２Ａ中破線で示される装着位置１１４でパワーヘッド５０に取り付けられ得る。
【００５３】
ワンド１１０は、任意の適切な様式でパワーヘッド５０に動作可能に相互接続され得る。例えば、ワンド１１０は、配線１１２を介してパワーヘッド５０に相互接続され得る。配線１１２は、ワンド１１０とパワーヘッド５０との間でデータおよび／または電力を伝えるように動作可能であり得る。配線１１２は、任意の適切な形態であり得、また任意の適切な数の導体を含み得る。例えば、配線１１２は、複数の別個に絶縁された導電経路を含み得る、１つ以上のケーブルおよび／またはワイヤーハーネスを含み得る。配線１１２を介してパワーヘッド５０に動作可能に相互接続されたワンド１１０は、読み出された（例えば、データ記憶デバイスから読み出された）データを記憶し、続いて任意の適切な時点でそのようなデータを配線１１２を介してダウンロードするように動作可能であり得る。
【００５４】
一構成において、ワンド１１０は、無線通信デバイスであり得る。そのような構成の一実装において、ワンド１１０は、任意の適切な無線通信技術（例えば、Ｂｌｕｅｔｏｏｔｈ、Ｗｉ−Ｆｉ）を使用して、パワーヘッド５０と無線通信するように動作可能であり得る。そのような構成の別の実装において、ワンド１１０は、手持ち方式で使用されている間、読み出された（例えば、データ記憶デバイスから読み出された）データを記憶し、続いて、装着位置１１４でパワーヘッド５０に取り付けられた場合に、そのようなデータをダウンロードするように動作可能であり得る。装着位置１１４に取り付けられた場合に、ワンド１１０は、機械的および／または通信によりパワーヘッド５０に相互接続され得る。通信相互接続は、例えば、直接電気相互接続および誘導相互接続を含む、任意の適切な形態のものであり得る。無線構成では、ワンド１１０は、任意の適切な様式で電力供給され得る。装着されると、ワンド１１０は、例えば、直接電気相互接続および／または誘導結合を使用して、パワーヘッド５０から電力を受け取るように動作可能であり得る。そのような受け取られた電力は、ワンド１１０のバッテリおよび／またはコンデンサを充電するために使用され得、これらは、次いで手持ち操作中にワンド１１０に電力供給するために使用され得る。
【００５５】
ワンド１１０により走査され得るデータ記憶デバイスは、本明細書に記載の任意の部分、デバイス、および／または人物の上に配置および／またはそれらに関連付けられ得る。例えば、データ記憶デバイスは、ユーザの識別バッジ、患者の識別ブレスレット、使い捨て品（例えば、管類セット、カテーテル）、領域（例えば、患者の部屋）、医薬品、バルク液体容器（例えば、生理食塩水、造影剤）、パワーヘッド５０、および／またはシリンジ８６ａ／ｂ（空または充填タイプの両方を含む）に取り付けられ、またはその一部であり得る。そのようなアイテムに対しては、ワンド１１０は、関連付けられたデータ記憶デバイスにワンド１１０が近接するように移動され得る。さらに、ワンド１１０は、装着された位置１１４にある場合に、注入プロセスにおいて使用される特定のアイテムを操作するように動作可能であり得る。例えば、装着された位置１１４にある場合に、ワンド１１０は、パワーヘッド５０に設置されたシリンジ８６ａのＲＦＩＤタグを読み出すように、および／またはそれに書き込むように動作可能であり得る。
【００５６】
本明細書において論議されるデータ記憶デバイスは、任意の適切な情報を含み得る。例えば、患者識別データ記憶デバイスは、患者の識別情報および追加情報、例えば薬物アレルギー、好ましい注入プロトコル、および／またはその他の情報を含み得る。別の例において、ユーザ識別バッジは、そのユーザにとって好ましい注入プロトコルを含み得る。
【００５７】
図３は、シリンジ取付具１２４ａ／ｂを含む注入デバイス１２０の斜視図である。注入デバイス１２０は、上述のパワーヘッド５０等のパワーヘッドの形態であり得る。注入デバイス１２０は、シリンジ１４０のプランジャ１４２と界面接触することができるシリンジプランジャドライバ１２６ａ／ｂを含み得る。注入デバイス１２０のシリンジプランジャドライバ１２６ａ／ｂは、注入デバイス１２０に関連付けられた電動駆動源を含み得る。
【００５８】
シリンジ取付具１２４は、任意の適切なサイズ、形状、構成、および／または種類であり得る。例示された実施形態において、シリンジ取付具１２４ａ／ｂは、注入デバイス１２０上に適切に装着または他の様式で統合され、シリンジ１４０と注入デバイス１２０との間のインターフェースを提供する。シリンジ取付具１２４ａ／ｂの一部は、注入デバイス１２０に永久的に取り付けらるか、もしくはそれに組み込まれるか、または、少なくとも適正な用具を用いてその上に設置され得る。シリンジ取付具１２４ａ／ｂはまた、異なる構成のシリンジ１４０が注入デバイス１２０上に設置されることを可能にするアダプタの形態であり得る（例えば、アダプタは、異なるシリンジが使用され得るように、注入デバイス１２０上のシリンジインターフェース構造上に設置され得、１つのシリンジは注入デバイス１２０のシリンジインターフェース構造とともに使用され得、適切なアダプタが注入デバイス１２０上に設置さる場合には別のシリンジが使用され得る）。シリンジ取付具１２４ａ／ｂはまた、１つ以上の構成のシリンジ１４０が設置され得る面板の形態であり得、面板は、いかなる用具も必要なく注入デバイス１２０上に設置され得る。この場合、注入デバイス１２０上に任意のシリンジ１４０を設置するためには面板が必要となり、この場合シリンジ１４０は、面板なしに注入デバイス１２０上に設置することができない。
【００５９】
シリンジ取付具１２４ａ／ｂは、注入デバイス１２０に取り外し可能に取り付けられ得る。シリンジ取付具１２４ａ／ｂは、図２Ａから２Ｃを参照して上述したパワーヘッド５０への面板１０２ａ／ｂの取り付けと同様に、注入デバイス１２０に取り付けおよび取り外され得る。図３の実施形態は、２つのシリンジ取付具１２４ａ／ｂ：シリンジプランジャドライバ１２６ａに取り付けられるシリンジ取付具１２４ａと、シリンジプランジャドライバ１２６ｂに部分的に取り付けられるシリンジ取付具１２４ｂとを含む。一構成において、注入デバイス１２０は、単一のシリンジプランジャドライバ１２６ａ／ｂまたは３つ以上のシリンジプランジャドライバ１２６ａ／ｂを含み得る。一構成において、注入デバイス１２０のシリンジプランジャドライバ１２６ａ／ｂのそれぞれが、それに取り付けられたシリンジ取付具１２４ａ／ｂを有し得、または、注入デバイス１２０のシリンジプランジャドライバ１２６ａ／ｂの一部が、それに取り付けられたシリンジ取付具１２４ａ／ｂを有し得る。シリンジ取付具１２４ａ／ｂは、中間面板１０２ａ／ｂおよびシリンジ８６ａに関して上述した様式と同様の様式で、シリンジ１４０を保持または受け取るように動作可能であり得る。
【００６０】
シリンジ取付具１２４ａは、ワンド部１２８ａと、基部１３０ａとを含み得る。基部１３０ａは、図２Ａから２Ｃを参照して上述したパワーヘッド５０への面板１０２ａ／ｂの取り付けと同様に、注入デバイス１２０に取り付けられるように動作可能であり得る。基部１３０ａは、基部１３０ａが注入デバイス１２０に取り付けられる場合に、通信により注入デバイス１２０に相互接続され得る。そのような相互作用は、基部１３０ａの電気伝導経路と、注入デバイス１２０の対応する導電経路との間の直接的な電気相互接続（例えば、基部１３０が注入デバイス１２０に取り付けられた場合に、電気相互接続される、嵌合電気コネクタおよび／または接触）により達成され得る。別の例において、配線（図示せず）は、基部１３０ａから延在し、注入デバイス１２０上の対応するコネクタに差し込まれるように動作可能であり得る。あるいは、基部１３０ａは、基部１３０ａが注入デバイス１２０に取り付けられる場合に、誘導結合を介して通信により注入デバイス１２０に相互接続され得る。任意の他の適切な種類の通信による相互接続が利用され得る。上述のように、シリンジ取付具１２４ａ／ｂは、シリンジ１４０を保持または受け取るように動作可能であり得る。この点において、シリンジ取付部１２４ａのワンド部１２８ａおよび／または基部１３０ａは、シリンジ１４０がそれに装着されることを可能にする特徴を含み得る。
【００６１】
ワンド部１２８ａは、基部１３０ａに取り付けられるように（例えば連結される）、および基部１３０ａから取り外されるように動作可能であり得る。そのような取り付けおよび取り外しは、用具を使用することなく行うことができる（例えば、ワンド部１２８ａは、手で基部１３０ａに取り付け可能、および基部１３０ａから取り外し可能であり得る）。ワンド部１２８ａは、任意の適切な様式で、基部１３０ａに取り付けられ得る。例えば、ワンド部１２８ａ上の溝が、基部１３０ａ上の対応する突出部材上に摺動し、適所にスナップ嵌めし得る。磁気結合および／またはラッチ等の他の方法を使用して、ワンド部１２８ａを基部１３０ａに固定し得る。
【００６２】
ワンド部１２８ａは、通信デバイス１３２ａを含み得る。通信デバイス１３２ａは、図２Ａのワンド１１０を参照しながら上述した物等、患者への医療流体の注入に関連した様々な物体に取り付けられ得るデータ記憶デバイス１３４からデータを読み出すように、および／またはデータ記憶デバイス１３４にデータを書き込むように動作可能であり得る。例えば、通信デバイス１３２ａは、ＲＦＩＤタグの読み出しおよび／またはＲＦＩＤタグへの書き込みを行うことができるＲＦＩＤ通信デバイスであり得る。通信デバイス１３２ａは、視野を有し得る。本明細書で使用されるように、「視野」という用語は、通信デバイス（例えば、ワンド部１２８ａの通信デバイス１３２ａ、図２Ａのワンド１１０）に近接した領域を指し、その領域内のデータ記憶デバイス１３４は、その通信デバイスと通信可能となる（例えば、データ記憶デバイス１３４がその通信デバイスにより読み出し可能であり、および／または通信デバイスは、データ記憶デバイス１３４に書き込むように動作可能となる）。
【００６３】
基部１３０ａに取り付けられると、ワンド部１２８ａは、基部１３０ａに機械的に相互接続されるだけでなく、電気的および／または通信により基部１３０ａに相互接続され得る。ワンド部１２８ａは、ワンド部１２８ａが通信デバイス１３２ａから得られたデータを基部１３０ａに転送することができるように基部１３０ａと通信するように動作可能であり得る。ワンド部１２８ａはまた、基部１３０ａからデータを受信し、そのようなデータを使用して、ワンド部１２８ａの視野内のＲＦＩＤタグに書き込むように動作可能であり得る。ワンド部１２８ａと基部１３０ａとの間の通信による相互接続、および基部１３０ａと注入デバイス１２０（上述）との間の通信による相互接続によって、ワンド部１２８ａは、注入デバイス１２０と通信するように動作可能であり得る。基部１３０ａに取り付けられると、ワンド部１２８ａの通信デバイス１３２ａの視野は、シリンジ取付具１２４ａ上に設置されたシリンジ１４０上のデータ記憶デバイス１３４の読み出しおよび／またはデータ記憶デバイス１３４への書き込みを行うことができるように配置され得る。
【００６４】
ワンド部１２８ａと基部１３０ａとの間の通信は、任意の適切な様式で行うことができる。例えば、ワンド部１２８ａが基部１３０ａに取り付けられた場合に、２つの部分１２８ａ、１３０ａは、各部分１２８ａ、１３０ａの対応する組の接点を介して直接電気的に相互接続され得る。そのような構成は、図３のワンド部１２８ｂおよび基部１３０ｂ上に図示されている。ワンド部１２８ｂは、一組の導電性部材１４６を含み、基部１３０ｂは、対応する一組の導電性部材１４８を含む。導電性部材１４６、１４８は、ワンド部１２８ｂが基部１３０ｂに装着された場合に、通信により相互接続されるように構成される。
【００６５】
別の構成において、ワンド１２８ａは、基部１３０ａと無線通信するように動作可能であり得る。そのような無線通信は、任意の適切な技術を用いて、任意の適切な様式で行うことができる。例えば、そのような無線通信は、光学的手段を使用して行われ得る。別の実施例において、そのような無線通信は、ワンド部１２８ａが基部１３０ａに取り付けられた場合に、ワンド部１２８ａと基部１３０ａとの間の誘導結合により行われ得る。別の実施例において、そのような無線通信は、Ｂｌｕｅｔｏｏｔｈ（登録商標）等のラジオ周波数（ＲＦ）無線通信システムを使用し得る。後者の実施例において、基部１３０ａとワンド部１２８ａとの間の無線通信は、ワンド部１２８ａが基部１３０ａから取り外された場合に、行われるように動作可能であり得る。
【００６６】
ワンド部１２８ａは、ワンド部１２８ａに電力供給するように動作可能である電源を含み得る。電源は、例えば、ワンド部１２８ａ内に配置されるバッテリを含み得る。そのようなバッテリは、その電力が使い果たされた場合、取り外し、次いで交換および／または再充電する必要があり得る。別の配列において、シリンジ取付具１２４ａは、ワンド部１２８ａが基部１３０ａに取り付けられた場合に、ワンド部１２８ａ内のバッテリを充電する能力を含み得る。この点において、注入デバイス１２０が基部１３０ａに電力を供給し得、一方で基部１３０ａは、それを介して電力が伝達されたワンド部１２８ａ内のバッテリを充電し得る、ワンド部１２８ａへの直接的な電気相互接続を含み得る。あるいは、ワンド部１２８ａと基部１３０ａとの間のそのような電力伝達は、誘導結合を介して行われ得る。具体的な構成において、通信および電力の相互接続の両方が、無線により行われ得る。例えば、ワンド部１２８ａと基部１３０ａとの間の通信は、光学的またはＲＦ手段を利用し得、一方で電力は、誘導結合を介して基部１３０ａに送達され得る。別の実施例において、通信および電力は、ワンド部１２８ａと基部１３０ａとの間で同じ誘導結合により行われ得る。一構成において、ワンド部１２８ａは、上述のバッテリの代わりに、充電されたコンデンサにより電力供給され得る。
【００６７】
ワンド部１２８ａは、基部１３０ａから取り外された場合に、上述の様々なデータ記憶デバイス１３４（例えば、ＲＦＩＤタグ）の読み出しおよび／またはそのデバイスへの書き込みを行うために使用され得る。ワンド部１２８ａは、データ記憶デバイス１３４がワンド部１２８ａの視野内に配置されるように、走査される様々なデータ記憶デバイス１３４に近接して移動され得る。１つの情報がワンド部１２８ａにより走査され、情報は、すぐに無線リンクにより注入デバイス１２０にダウンロードされ得る。そのような無線リンクは、基部１３０ａを介し得、または、注入デバイス１２０の無線通信モジュールに直接繋がってもよい。あるいは、走査された情報は、後にワンド部１２８ａが基部１３０ａに取り付けられた場合に、ダウンロードされるように、ワンド部１２８ａ内に一時的に記憶され得る。したがって、ワンド部１２８ａは、走査された情報を記憶することができるメモリユニット１４４ａを含み得る。ワンド部１２８ｂもまた、走査された情報を記憶することができるメモリユニット１４４ｂを含み得る。メモリユニット１４４ａ／ｂはまた、必要に応じて、様々なデータ記憶デバイス１３４への書き込みを行うために使用され得る。
【００６８】
シリンジ取付具１２４ｂは、上述のシリンジ取付具１２４ａと同様に構成され得る。図３に示すように、ワンド部１２８ｂは、基部１３０ｂから取り外され、読み出されるおよび／または書き込まれるアイテムのデータ記憶デバイス１３４が通信デバイス１３２ｂの視野内となるようにワンド部１２８ｂを操作することによって、ユーザ識別バッジ１３８および／または患者識別ブレスレット１３６を走査するために使用され得る。
【００６９】
図３のシリンジ取付具１２４ａ／ｂの実施形態は二部品構成を利用しているが、シリンジ取付具１２４ａの代替の実施形態において、シリンジ取付具１２４ａは単一のデバイスであり得る。そのような実施形態において、注入デバイス１２０から離れたデータ記憶デバイス１３４の読み出しおよび／またはデータ記憶デバイス１３４への書き込みを行うためにシリンジ取付具１２４ａを使用する場合に、全シリンジ取付具１２４ａが、注入デバイス１２０から取り外され得る。そのような単一のデバイスは、上述した基部１３０ａと注入デバイス１２０との間、および／またはワンド部１２８ａと基部１３０ａとの間の通信と同様に、注入デバイス１２０と通信し得る。
【００７０】
ワンド部１２８ａが基部１３０ａに取り付けられた場合に、（または単一シリンジ取付具１２４ａ実施形態において）、シリンジ取付具１２４ａは、それに設置されたシリンジ１４０を位置付け、および／または支持するように動作可能であり得る。この点において、シリンジ取付具１２４ａは、前述した面板１０２ａ／ｂと同じ機能を実行し得る。さらに、前述の面板１０２ａ／ｂの様々な特徴が、シリンジ取付具１２４ａ／ｂに組み込まれ得る。また、設置されたシリンジ１４０内の流体を加熱するように動作可能なシリンジ加熱器等の追加の特徴が、シリンジ取付具１２４ａ／ｂに組み込まれ得る。
【００７１】
シリンジ取付具１２４ａ上に取り付けられ、注入器１２０により使用されるシリンジ１４０は、任意の適切な種類の、任意の適切なデータ記憶技術（例えば、ＲＦＩＤタグ）を使用する、１つ以上のデータ記憶デバイス１３４を含み得る。そのようなデータ記憶デバイス１３４は、内容物の種類、濃度、製造日および／もしくはロット、使用期限、充填日、充填体積ならびに／または任意の他の適切な情報等の情報を記憶可能であり得る。さらに、シリンジ１４０上のデータ記憶デバイス１３４は、通信デバイス１３２ａ／ｂによりその上に書き込まれた情報を有するように動作可能であり得る。任意の適切な数のデータ記憶デバイス１３４が、所与のシリンジ１４０と関連付けられ得る。データ記憶デバイス１３４は、シリンジ１４０上の任意の適切な場所に組み込まれ得る。
【００７２】
図４は、図３の注入デバイス１２０の操作方法１５０のフローチャートである。方法１５０の第１のステップ１５２は、シリンジ取付具１２４ａを注入デバイス１２０上に設置することであり得る。ステップ１５２は、例えば、シリンジ取付具１２４ａの電気コネクタを注入デバイス１２０の対応するコネクタに差し込むことにより、シリンジ取付具１２４ａを注入デバイス１２０に電気的に相互接続するステップをさらに含み得る。代替の実施形態において、シリンジ取付具１２４ａと注入デバイス１２０との間の電気相互接続は、シリンジ取付具１２４ａが注入デバイス１２０上に設置された場合に、行われ得る。
【００７３】
次のステップ１５４は、注入デバイス１２０からワンド部１２８ａを取り外すことであり得る。これは、基部１３０ａからワンド部１２８ａを分離するステップを含み得る。そのような分離は、注入デバイス１２０のユーザにより手で行われ得る。分離は、例えば、ワンド部１２８ａと基部１３０ａとの間の磁気的相互接続および／または機械的相互接続による保持力に打ち勝つのに十分な力で、ワンド部１２８ａを基部１３０ａから引き離すことにより達成され得る。一実施形態において、ラッチもしくはクランプを解除、および／またはボタンを押して、ワンド部１２８ａを基部１３０ａから分離し得る。
【００７４】
次に、ユーザは、ワンド部１２８ａを使用して、（例えば、注入を受ける患者が装着している）患者識別ブレスレット１３６に関連付けられたデータ記憶デバイス１３４を読み出し得る。一般に、本方法１５０は、ワンド部１２８ａで特定のアイテムからデータを読み出すことに関して説明される。本方法１５０において説明される全ての読み出しステップは、説明された読み出しと組み合わせて、または説明された読み出しの代わりに特定のアイテムにデータを書き込むステップを含み得る。ステップ１５６は、ワンド部１２８ａを患者識別ブレスレット１３６に近接して位置付けるステップを組み込み得る。ワンド部１２８は、電磁的に適切なデータ記憶デバイス１３４からデータを読み出すこと、および／または適切なデータ記憶デバイス１３４にデータを書き込むことができる、電磁デバイスの形態であり得る。この点において、ワンド部１２８ａは、患者識別ブレスレット１３６に相互接続されたＲＦＩＤタグ１３４を読み出すように操作可能であり得る。ワンド部１２８ａは、患者識別ブレスレット１３６の読み出しの成功を示すために、可聴音を発し得る。ワンド部１２８ａによる読み出しの成功の他の指示器、例えばワンド部１２８ａ上の光等を、可聴音に加えて、またはその代わりに使用し得る。ワンド部１２８ａは、患者識別ブレスレット１３６から読み出されたデータを、メモリユニット１４４ａに記憶し得る。データ読み出しは、患者名、患者識別番号、患者の薬物アレルギー、好ましい注入プロトコル、および／または任意の他の適切な情報を含み得る。ワンド部１２８ａが無線通信能力を含む一実施形態において、ワンド部１２８ａは、患者識別ブレスレット１３６から読み出されたデータを、すぐに基部１３０ａおよび／または注入デバイス１２０に無線により伝送し得る。
【００７５】
次のステップ１５８は、ユーザ識別バッジ１３８に関連するデータ記憶デバイス１３４を読み出すためにワンド部１２８ａを使用することであり得る。これは、図３に例示されるように、ユーザ識別バッジ１３８に近接してワンド部１２８ａを移動させることによって実施され得る。ユーザ識別バッジ１３８から読み出される情報は、ユーザ名および／または他のユーザ識別子、ユーザに好ましい注入プロトコル、および／または、任意の他の適切な情報を含み得る。読み出された情報は、局所に格納されるか、および／または、ステップ１５８中に読み出された情報とともに伝送され得る。この情報は、注入デバイス１２０の無許可の作動を防ぐために使用され得る。
【００７６】
この後に、ワンド部１２８ａを使用して、注入プロセスにおいて使用される使い捨て品に取り付けられた、および／または関連付けられたデータ記憶デバイスを読み出すステップ１６０が続き得る。そのような使い捨て品は、例えば、管類セットおよびカテーテルを含み得る。使い捨て品から読み出された情報は、部品番号、製造情報、性能特性（例えば、最大圧力定格）、および／または任意の他の適切な情報を含み得る。読み出された情報は、ローカルに記憶され得、および／または、例えばステップ１５６中に読み出された情報とともに伝送され得る。
【００７７】
ステップ１５６、１５８および１６０を参照しながら説明されたものの他に、追加的なアイテムが使用者によりワンド部１２８ａを使用して読み出され得る。そのようなアイテムは、医薬品、存在する追加要員の識別バッジ、および／または任意の他の適切なものを含み得る。さらに、ワンド部１２８ａにより様々なアイテムが読み出される上述の順番は、変更され得る。さらに、特定の注入プロセスにおいては、ワンド部１２８ａによりアイテムを読み出す上述のステップの全てが実行される必要があるわけではない。
【００７８】
読み出しステップ１５６、１５８および１６０が完了した後、次のステップ１６２は、ワンド部１２８ａを注入デバイス１２０に連結することがであり得る。これは、ワンド部１２８ａを基部１３０ａに取り付けるステップを伴い得る。次のステップ１６４は、ワンド部１２８ａを基部１３０ａおよび／または注入デバイス１２０に登録することであり得る。ワンド部１２８ａをする登録するステップは、ワンド部１２８ａと基部１３０ａおよび／または注入デバイス１２０との間の通信リンクを確立するステップを伴い得る。ワンド部１２８ａを登録するステップはまた、ワンド部１２８ａが基部１３０ａに対する正しいワンド部１２８ａであることを確認し得る。登録されると、次のステップ１６６が実行され得る。ステップ１６６は、ステップ１５６、１５８および１６０中にワンド部１２８ａにより読み出されたデータを、ワンド部１２８ａから基部１３０ａおよび／または注入デバイス１２０にダウンロードするステップを含み得る。連結されると、ワンド部１２８ａは、基部１３０ａから電力を引き出して、ワンド部１２８ａのエネルギー貯蔵デバイス（例えば、バッテリ）を充電し得る。
【００７９】
次のステップ１６８は、シリンジ取付具１２４ａにシリンジ１４０を設置することであり得る。シリンジ１４０を設置するステップは、シリンジ１４０のプランジャ１４２をシリンジプランジャドライバ１２６ａに相互接続するステップを含み得る。接続されると、注入デバイス１２０は、シリンジ１４０のプランジャ１４２を駆動する（例えば、前進させるおよび／または引き込む）ように動作可能であり得る。ステップ１６８はまた、管類セット等の任意の適切な使い捨て品を、シリンジ１４０に相互接続するステップを含み得る。
【００８０】
次のステップ１７０は、ワンド部１２８ａが基部１３０ａに取り付けられている間、ワンド部１２８ａがシリンジ１４０のデータ記憶デバイス１３４を読み出すことであり得る。この点において、シリンジ１４０は、シリンジ１４０のデータ記憶デバイス１３４がワンド部１２８ａの通信デバイス１３２ａの視野内にあるように、シリンジ取付具１２４ａ上に搭載され得る。シリンジ１４０のデータ記憶デバイス１３４から読み出されたデータは、注入デバイス１２０に転送され得る。
【００８１】
ワンド部１２８ａからデータがダウンロードされ、シリンジ１４０のデータ記憶デバイス１３４が読み出されたら、次のステップ１７２は、データの完全性を検証することであり得る。そのような検証は、データの様々な部分が整合していることを確認する形態をとり得る。例えば、シリンジ１４０上のデータ記憶デバイス１３４は、シリンジ１４０の使用が意図される患者に関する情報を含み得る。このデータは、正しい医療流体が正しい患者に投与されていることを確認するために、患者識別ブレスレット１３６から得られた患者の識別情報と比較され得る。ステップ１７２はまた、ステップ１７４において得られた注入プロトコルを検証するステップを含み得る。
【００８２】
注入プロトコルを得るステップ１７４は、様々な手法で行われ得る。例えば、注入プロトコルは、ユーザ識別バッジ１３８内に存在し得、ステップ１５８のユーザ識別バッジ１３８の読み出し中にダウンロードされ得る。あるいは、注入プロトコルは、患者の識別ブレスレット１３６内に存在し得、ステップ１５６の患者識別ブレスレット１３６の読み出し中にダウンロードされ得る。そのようなプロトコルは、例えば処方する医者によって、患者識別ブレスレット１３６上にロードされ得る。
【００８３】
別の実施形態において、注入デバイス１２０は、複数の注入プロトコルを含み得、ユーザは、複数の注入プロトコルから、使用する注入プロトコルを選択し得る。そのような選択は、ユーザが注入プロトコルを手動で選択する形態（例えば、注入デバイス１２０のＧＵＩ１２２を使用して）をとってもよく、または、例えば、ユーザ（例えば、ステップ１５８のユーザ識別バッジ１３８の読み出し中に得られる）および／または注入される液体（例えば、ステップ１７０のシリンジ１４０の読み出し中に得られる）に基づいて、注入デバイス１２０は、注入プロトコルを自動的に選択し得る。データの完全性を検証するステップ１７２はまた、選択されたプロトコルの側面（例えば、流速および圧力）が、注入プロセス中に使用される使い捨て品（例えば、管類セットおよび／またはカテーテル）に適切であることを検証するステップを含み得る。データの完全性を検証するステップ１７２はまた、ユーザ、シリンジ１４０内の医療流体、および患者の全てが、選択された注入プロトコルに適切であることを検証するステップを含み得る。
【００８４】
ステップ１７２のデータの完全性の検証は、間違った医薬品を患者に注入する可能性、期限切れの医療流体を患者に注入する可能性、ならびに／または、特定の患者および／もしくはシリンジに対し間違ったプロトコルを使用する可能性を低減する上で有用となり得る。さらに、そのような情報は、ワンド部１２８ａにより読み出される本明細書に記載の任意の他の情報とともに、注入プロトコルの実行におけるその役割に追加的な目的で使用され得る。例えば、そのような情報は、インベントリの追跡、請求書の追跡、機器性能の追跡、患者注入履歴の追跡、および／またはユーザ活動の追跡に使用され得る。方法１５０の間、注入デバイス１２０はまた、注入手順に関連した情報を得るため、検証するため、および／またはアップロードするために、ローカルネットワーク（例えば、病院のネットワーク）とインターフェースをとり得る。
【００８５】
次のステップ１７６は、注入プロトコルを実行することであり得る。注入プロトコルの一部として、またはその実行の前に、注入デバイス１２０および取り付けられた管類は、空気が排除され、患者に流体的に相互接続され得る（例えば、管類セットおよびカテーテルを介して）。そのような排除後に、注入デバイス１２０は、注入プロトコルに従って医療流体を患者に注入し得る。
【００８６】
シリンジ取付具１２４ａ上に設置された単一のシリンジ１４０からの医療流体の注入に関して、方法１５０を上で説明した。方法１５０の別の実装において、第２のシリンジがシリンジ取付具１２４ｂ上に設置され得る。例えば、シリンジ取付具１２４ａ上に設置されたシリンジ１４０は造影剤で充填され得、一方でシリンジ取付具１２４ｂ上に設置された第２のシリンジは生理食塩水で充填され得る。注入プロトコルは、生理食塩水および造影剤の両方の注入を必要とし得る。注入プロトコルが２つの別個のシリンジからの医療流体の注入を必要とする場合、各シリンジ取付具１２４ａ／ｂは、そのそれぞれのシリンジ取付具１２４ａ／ｂ上に設置されたシリンジのデータ記録デバイス１３４を読み出し得る。様々な構成要素を読み出すためにシリンジ取付具１２４ａのワンド部１２８ａがその基部１３０ａから取り外される先行する読み出しステップにおいて、ワンド部１２８ａおよび／またはワンド部１２８ｂは、そのような読み出しステップを完了するために使用され得る。
【００８７】
本発明の上述の説明は、例証および説明のために提示されている。さらに、本説明は、本発明を本明細書で開示される形態に限定することを目的としない。その結果として、変形例および修正は、上述の教示に相応であり、関連技術の技能および知識は、本発明の範囲内である。上述で説明される実施形態はさらに、本発明を実践する公知の最良のモードを説明すること、およびそのような実施形態または他の実施形態で、かつ本発明の特定の用途または使用法によって必要とされる種々の修正とともに、当業者が本発明を利用できるようにすることを目的とする。添付の請求項は、従来技術によって可能となる程度で、代替実施形態を含むと解釈されることが意図される。
【図１】
0005535308.tif 000002
【図２Ａ】
0005535308.tif 000003
【図２Ｂ】
0005535308.tif 000004
【図２Ｃ】
0005535308.tif 000005
【図３】
0005535308.tif 000006
【図４】
0005535308.tif 000007